(57)【要約】【課題】  誘引光源の照射する又は捕虫液の液面の反射する誘虫光に誘引されはするが、誘引光源の最下端部と捕虫液の液面との間を通過するだけで捕虫液に捕獲されない虫に対しても、十分な捕獲殺虫効果を発現することができる捕獲殺虫装置を提供する。【解決手段】  虫を誘引するよう紫外線を含有した誘虫光を照射する誘引光源６と、誘引光源６の最下端部１３と対向するよう配置されて捕虫液１２が溜められる捕虫液容器２と、が備えられた捕獲殺虫装置１であって、誘引光源６の最下端部１３を通り捕虫液１２の液面１１に略平行な面と捕虫液１２の液面１１とで挟まれた空間を仕切る仕切り板１０が、捕虫液１２の液面１１と交差するよう設けられている。【選択図】図１
2006115763.tif 000002
【特許請求の範囲】
【請求項１】
虫を誘引するよう紫外線を含有した誘虫光を照射する誘引光源と、誘引光源の最下端部と対向するよう配置されて捕虫液が溜められる捕虫液容器と、が備えられた捕獲殺虫装置であって、
誘引光源の最下端部を通り捕虫液の液面に略平行な面と捕虫液の液面とで挟まれた空間を仕切る仕切り板が、捕虫液の液面と交差するよう設けられたことを特徴とする捕獲殺虫装置。
【請求項２】
仕切り板の表面の少なくとも一部が反射面であることを特徴とする請求項１に記載の捕獲殺虫装置。
【請求項３】
捕虫液容器の内面が反射面であることを特徴とする請求項１又は２に記載の捕獲殺虫装置。
【請求項４】
仕切り板が誘引光源の真下に設けられていることを特徴とする請求項１〜３のいずれかに記載の捕獲殺虫装置。
【請求項５】
仕切り板の表面の少なくとも一部に粘着層が設けられていることを特徴とする請求項１〜４のいずれかに記載の捕獲殺虫装置。
【発明の詳細な説明】
【技術分野】
【０００１】
本発明は、誘引光を照射して虫を捕虫液に誘引捕獲する捕獲殺虫装置に関するものである。
【背景技術】
【０００２】
従来から、捕獲殺虫装置として、虫を誘引するよう紫外線を含有した誘虫光を照射する誘引光源と、捕虫液が溜められる捕虫液容器と、が備えられたものが知られている。
【０００３】
これについては、特開２００２−６５１３６号公報（特許文献１）に記載されているもの、すなわち、捕虫液が溜められた捕虫液容器の上に虫を誘引する誘虫光を照射する誘引光源が設置されている構成が例示される。
【０００４】
この構成により、捕虫液の液面が、誘引光源の照射する誘虫光を反射し、この反射された誘虫光が、捕虫液に向かって虫を誘引し、捕虫液に捕獲されることとなる。
【特許文献１】特開２００２−６５１３６号公報
【発明の開示】
【発明が解決しようとする課題】
【０００５】
しかしながら、上記構成では、誘引光源が照射する又は捕虫液の液面で反射する誘虫光に誘引されはするが、誘引光源の最下端部と捕虫液の液面との間を通過するだけで捕虫液に捕獲されない虫があり、十分な捕獲殺虫効果を発現できない可能性があった。
【０００６】
本願発明は、上記背景技術に鑑みてなされたものであり、その課題は、誘引光源が照射する又は捕虫液の液面で反射する誘虫光に誘引されはするが、誘引光源の最下端部と捕虫液の液面との間を通過するだけで捕虫液に捕獲されない虫に対しても、十分な捕獲殺虫効果を発現することができる捕獲殺虫装置を提供することである。
【課題を解決するための手段】
【０００７】
上記課題を解決するために、本願発明は、虫を誘引するよう紫外線を含有した誘虫光を照射する誘引光源と、誘引光源の最下端部と対向するよう配置されて捕虫液が溜められる捕虫液容器と、が備えられた捕獲殺虫装置であって、誘引光源の最下端部を通り捕虫液の液面に略平行な面と捕虫液の液面とで挟まれた空間を仕切る仕切り板が、捕虫液の液面と交差するよう設けられたことを特徴とする捕獲殺虫装置である。
【発明の効果】
【０００８】
本願発明によれば、誘引光源の最下端部を通り捕虫液の液面に略平行な面と捕虫液の液面とで挟まれた空間を仕切る仕切り板が、捕虫液の液面と交差するよう設けられているので、誘引光源の最下端部と捕虫液の液面との間を通過しようとする虫が仕切り板に衝突し、液面に落下するため捕獲殺虫効果が向上する。
【発明を実施するための最良の形態】
【０００９】
図１及び図２は、本願の請求項１〜４に対応した第一実施形態である捕獲殺虫装置１を示している。
【００１０】
本第一実施形態の捕獲殺虫装置１は、図１及び図２に示す如く、虫を誘引するよう紫外線を含有した誘虫光を照射する誘引光源６と、誘引光源６の最下端部１３と対向するよう配置されて捕虫液１２が溜められる捕虫液容器２と、が備えられた捕獲殺虫装置１であって、誘引光源６の最下端部１３を通り捕虫液１２の液面１１に略平行な面と捕虫液１２の液面１１とで挟まれた空間を仕切る仕切り板１０が、捕虫液１２の液面１１と交差するよう設けられている。ここで、仕切り板１０の表面の少なくとも一部が反射面である。
【００１１】
また、捕虫液容器２の内面が反射面であり、仕切り板１０が誘引光源６の真下に設けられている。
【００１２】
以下、本第一実施形態による捕獲殺虫装置１を、より具体的詳細に説明する。最初に誘引光源６について説明する。これは図１及び図２に示す如く、円柱状の紫外線ランプ５と、紫外線ランプ５を覆ってなる薄肉円筒状の透光部材４と、紫外線ランプ５に電流を供給する給電機構（図示しない）と、を有している。ここで、透光部材４の両端部は、略中心に孔を有する円板で塞がれており、この孔によって紫外線ランプ５の外周が支持される。またこの孔から給電回路に接続する端子（図示しない）が露出することとなる。ここで透光部材４としては、紫外線透過型透明アクリルパイプのように紫外線を含有した誘引光を効率よく透過できるものが例示される。
【００１３】
この誘引光源６は、誘引光源６の軸と直交する捕虫液容器２の端面部の上端辺から延設する薄肉で略三角形状の支持部３に設けられた略Ｕ字形状の切り欠きに載置される。この状態で誘引光源６は、その軸を略水平となるよう捕虫液容器２の上方に配置される。
【００１４】
次に、捕虫液容器２について説明する。これは図１及び図２に示す如く、上面が長方形に開口し、両端が薄肉半円状のもので塞がれた、底部を曲面とする略樋状の容器であり、脚部（図示しない）により横転しないよう支持されている。
【００１５】
また、捕虫液容器２の内面を反射面としている。反射面は捕虫液容器２をステンレス等の金属で成形し、この内面を鏡面仕上げしたものでもよいし、捕虫液容器２をプラスチック等の非金属で成形し、この内面に誘虫光を反射する部材を設けることとしてもよい。そして支持部３についても同様の材料で成形したものが例示され、同様に鏡面仕上げし又は反射部材を設けてもよい。
【００１６】
さらに、捕虫液容器２は略樋状のものに限られず、底面部が方形である略箱状のものも例示される。捕虫液容器２が略樋状である場合は、底面部が曲面であって隅角部がないため、捕獲殺虫した虫が隅角部に蓄積されることがなく、捕虫液１２の交換又は捕虫液容器２の掃除を容易に行いうる点で有利である。
【００１７】
次に、吊り部７について説明する。これは図１及び図２に示す如く、内径が透光部材４の外径と略同一である薄肉円筒状の環部８と、環部８の外周面に突設されて環部８の軸方向と直交する面に溝欠きがなされている板部９とを、有するものであり、板部９の突出長さが、誘引光源６の最下端部１３と捕虫液１２の液面１１との間隔と略同等となっている。
【００１８】
そして、２つの吊り部７、７の溝欠きが対向するように、環部８、８は透光部材４に外挿して保持される。この状態で板部９、９は誘引光源６の真下に垂設され、対向する溝欠きに仕切り板１０が嵌合保持される。なお吊り部７の材質は、ステンレス等の金属又はプラスチック等の非金属といった汎用材料が例示される。
【００１９】
次に、仕切り板１０について説明する。これは図１及び図２に示す如く、厚み方向と直交する２つの表面が反射面である薄肉長方形状のものである。また、仕切り板１０の長辺方向の長さは捕虫液容器２の長辺の長さと略同一であり、仕切り板１０の短辺方向の長さは板部９の突出長さと略同一であり、仕切り板１０の厚さは、吊り部７の溝欠きの幅と略同一である。ここで、反射面は仕切り板１０をアルミニウムで成形し、これを鏡面仕上げしたものであるが、アルミニウムに替えてステンレス等の金属を使用してもよいし、仕切り板１０をプラスチック等の非金属で成形し、この表面に誘虫光を反射する部材を設けることとしてもよい。
【００２０】
そして、仕切り板１０は、誘引光源６の真下に設けられた板部９、９になされた溝欠きに嵌合保持されて、誘引光源６の真下に設けられ、この状態で、誘引光源６の最下端部１３を通り捕虫液１２の液面１１と略平行な面と捕虫液１２の液面１１とで挟まれた空間を仕切る仕切り板１０は、捕虫液１２の液面１１と交差するよう設けられることとなる。
【００２１】
なお、本第一実施形態では、板部９の突出長さ及び仕切り板１０の短辺方向の長さは、誘引光源６の最下端部１３と捕虫液１２の液面１１との間隔と略同等としたが、この間隔よりも長くすることで仕切り板１０の一部が捕虫液１２に浸漬するものであってもよいし、逆にこの間隔よりも短くすることで仕切り板１０と捕虫液１２の液面１１との間に隙間を有するものであっても構わない。
【００２２】
ここで、本第一実施形態による捕獲殺虫装置１と、本第一実施形態において吊り部７と仕切り板１０を外した従来例とで、屋外における捕獲殺虫の比較試験を実施した。この場合、実際に捕虫液１２が捕虫液容器２に溜められると、捕獲殺虫した虫の死骸が捕虫液１２の中で散乱又は溶解し、計数が困難となる。そこで、比較試験の便宜の図るべく、捕虫液１２が溜められることなく、捕虫液容器２の底面部に粘着テープを設置し、これに貼り付いた虫を計数することとした。結果を表１に示す。
【００２３】
【表１】
2006115763.tif 000003
【００２４】
これより、本第一実施形態によれば従来例に対し、捕獲殺虫効果が向上していること、特に風が強い日ほど捕獲殺虫効果が向上していることが分かる。なお、実際に捕虫液１２が溜められる場合には、乳酸、フェロモン、果汁などの虫を誘引することができる誘引剤を水に添加したものの使用が例示される。
【００２５】
従って、本第一実施形態によれば、誘引光源６の最下端部１３を通り捕虫液１２の液面１１と略平行な面と捕虫液１２の液面１１とで挟まれた空間を仕切る仕切り板１０が、捕虫液１２の液面１１と交差するよう設けられているので、誘引光源６の最下端部１３と捕虫液１２の液面１１との間を通過しようとする虫が仕切り板１０に衝突し、液面１２に落下するため捕獲殺虫効果が向上する。特に風が強い日ほど捕獲殺虫効果が向上していることから、仕切り方向に向かって気流を生じさせるファンを備えると捕獲殺虫効果を高めることができる。
【００２６】
また本第一実施形態によれば、仕切り板１０の表面の少なくとも一部が反射面であるので、これが誘虫光を反射し、捕獲殺虫効果がより向上する。
【００２７】
また本第一実施形態によれば、捕虫液容器２の内面が反射面であるので、これが誘中光を反射し、捕獲殺虫効果が一層向上する。
【００２８】
さらに本第一実施形態によれば、仕切り板１０が誘引光源６の真下に設けられているので、仕切り板１０に衝突した虫が確実に捕虫液容器２の内部に落下し、捕獲殺虫効果がさらに向上する。
【００２９】
次に図３に基づいて、本願の請求項１〜５のすべてに対応した第二実施形態である捕獲殺虫装置１を説明する。
【００３０】
これは、吊り部７を内径が透光部材４の外径と略同一である薄肉円筒状の環部８と、環部８の外周面に突設されて環部８の軸方向と直交する面に溝欠きがなされている２つの板部９、９と、を有するものであり、板部９、９の突出長さが、誘引光源６の最下端部１３と捕虫液１２の液面１１との間隔と略同等としている。また板部９、９は、これらの間隔が外周面から離れるにつれて大きくなるように、環部８の軸方向と直交する方向から見て略八の字状に配置されている。そして２つの吊り部７、７の溝欠きが対向するように、環部８、８は透光部材４に外挿して保持され、対向する２組の溝欠きに、誘引光源６に臨む表面が反射面となるように仕切り板１０、１０が嵌合保持される。
【００３１】
次に、仕切り板１０について説明する。これは図３に示す如く、厚み方向と直交する表面の少なくとも一部となる外側表面が反射面であり、短辺と板部９の形状とが整合するように反射面側に湾曲した、断面が薄肉円弧状のものである。また、仕切り板１０の長辺方向の長さは捕虫液容器２の長辺の長さと略同一であり、仕切り板１０の短辺方向の長さは板部９の突出長さと略同一であり、仕切り板１０の厚さは、吊り部７の溝欠きの幅と略同一である。さらに反射面全面に粘着層１４が設けられている。ここで、粘着層１４はアクリルゴム系、ウレタンゴム系等の汎用の粘着材が塗布されてなるものが例示されるが、反射面による誘虫光の反射を阻害しないために、無色透明であるものが好ましい。
【００３２】
そして、仕切り板１０、１０は、誘引光源６の真下に設けられた板部９になされた溝欠きに嵌合保持されて、誘引光源６の真下に設けられ、この状態で、反射面は、図３に示す如く、誘引光源６に臨む形で捕虫液１２の液面１１に対し傾斜することとなり、さらに、誘引光源６の最下端部１３を通り捕虫液１２の液面１１と略平行な面と捕虫液１２の液面１１とで挟まれた空間を仕切る仕切り板１０、１０は、捕虫液１２の液面１１と交差するよう設けられることとなる。また仕切り板１０の表面の少なくとも一部に粘着層１４が設けられることとなる。その他は第一実施形態と同じである。
【００３３】
従って本第二実施形態によれば、仕切り板１０の表面の少なくとも一部に粘着層１４が設けられているので、誘虫され、衝突した虫がこれに固着され、虫の同定や計数が容易となる。
【００３４】
また本第二実施形態によれば、反射面は、誘引光源６に臨む形で捕虫液１２の液面１１に対し傾斜することとなり、図３において二点鎖線で示す如く、反射面で反射された誘虫光は捕虫液１２の液面１１のみが誘虫光を反射する範囲に加え、さらにその周囲近傍にも照射されるので、誘虫効果を高めることができる。
【００３５】
次に図４に基づいて、本願の請求項１〜３及び請求項５に対応した第三実施形態である捕獲殺虫装置１を説明する。これは仕切り板１０が、捕虫液容器２のうち誘引光源６の軸と平行な一側面部の上端辺から、誘引光源６の最下端部１３を通り捕虫液１２の液面１１に略平行な面まで、捕虫液１２の液面１１と略直交するように立設され、両表面のうちの少なくとも一部である誘引光源６に臨む側の表面が反射面となっている。ここで誘引光源６に臨む側の表面に粘着層１４が設けられている。粘着層１４はアクリルゴム系、ウレタンゴム系等の汎用の粘着材が塗布されてなるものが例示されるが、反射面による誘虫光の反射を阻害しないために、無色透明であるものが好ましい。
【００３６】
この状態で、反射面は、図４に示す如く、誘引光源６に臨む形で捕虫液１２の液面１１に対し略直交することとなり、さらに誘引光源６の最下端部１３を通り捕虫液１２の液面１１と略平行な面と捕虫液１２の液面１１とで挟まれた空間を、その外部から仕切る仕切り板１０が、捕虫液１２の液面１１と交差するよう設けられることなる。また仕切り板１０の表面の少なくとも一部に粘着層１４が設けられることとなる。その他は第一実施形態と同じである。
【００３７】
従って本第三実施形態によれば、図４において二点鎖線で示す如く、仕切り板１０に照射される誘虫光が反射面で反射されるので、虫を誘引したくない外部の方向、例えば捕獲殺虫装置１を店舗の外壁近傍に設置する場合の外壁に面する方向へ、仕切り板１０が設けられることで、この方向への誘虫光の照射を反射し不必要な誘虫を防止することができる。
【００３８】
なお、仕切り板１０は誘引光源６の最下端部１３を通り捕虫液１２の液面１１に略平行な面を超えて、これ以上の高さまで立設しても構わない。この場合、虫を誘引したくない方向へ照射される誘虫光が、より反射され、より不必要な誘虫を防止することができる。
【図面の簡単な説明】
【００３９】
【図１】本願発明の第一実施形態の斜視図
【図２】同上の縦断面図。
【図３】本願発明の第二実施形態の縦断面図
【図４】本願発明の第三実施形態の縦断面図
【符号の説明】
【００４０】
１  捕獲殺虫装置
２  捕虫液容器
６  誘引光源
１０  仕切り板
１１  液面
１２  捕虫液
１３  最下端部
１４  粘着層
【図１】
2006115763.tif 000004
【図２】
2006115763.tif 000005
【図３】
2006115763.tif 000006
【図４】
2006115763.tif 000007